(57)【要約】      （修正有）【課題】簡素で低廉で実用性が高く効率良く湯垢を洗い流せる家庭用２管配管式風呂釜の洗浄器具を提供する。【解決手段】洗浄ノズル１先方を上側または下側の管路１０，１１正面に向け管路入口から水平方向に適宜離れたところに配置し高圧で高速の水流６を直線的に送り込み浴槽内の水を巻き込み大水流にすることとさらに浴槽内の水面を該洗浄ノズルとほぼ同じ高さとすることにより水面の上側の空気を巻き込むことで該大水流を脈動する大水流に変化させて管路を通じて風呂釜１２内に送り込む。該洗浄ノズルは真っ直ぐな棒状の簡素なプラスチックの成型品としたことで軽量で加工が容易で低廉なこととさらに収納をし易くする為に浴室に設備済みのシャワヘッドのフックに差し込んで置ける形状とする。【選択図】図１
0003149776.tif 000002
【実用新案登録請求の範囲】
【請求項１】
家庭浴室に設備済みのシャワホースの先端の雌螺子付き継手に接続してあるシャワヘッドを洗浄用ノズルに一時的に取り替えて使用する洗浄器具において、洗浄用ノズルの取り付け側はシャワホース先端の継手の雌螺子に適合する雄螺子とし内径が該洗浄用ノズルの中央部までシャワホースの先端の継手の内径と同じかやや大きくし該洗浄用ノズルの先方部は外径が先細りで内径が３〜４ミリメートルの平行管路としたことにより水流を拡散させず直進させて該洗浄用ノズルを風呂釜の上側または下側の管路入口より水平方向に適宜離して配置し正面から該水流を管路に送り込み浴槽の水を巻き込んで大水流にすることにより風呂釜の湯垢を洗い流し出す様にしたことを特徴とする、家庭用２管配管式風呂釜の洗浄器具。
【請求項２】
洗浄用ノズルの外形が雄螺子に続く外径をシャワホースの先端の雌螺子付き継手の外径よりやや大きくし長手方向中央部の外径の大きさをシャワホースの外径と同等以下で先方部の外形を先細りとし該洗浄用ノズルは真っ直ぐな棒状の簡素なプラスチックの成型品とすることにより軽量で加工が容易でまた取り外して家庭浴室に設備済みのシャワヘッドのフックに差し込んで置ける形状にして収納するのを容易にしたことを特徴とする、請求項１の家庭用２管配管式風呂釜の洗浄器具。
【請求項３】
家庭浴室に設備済みのシャワホースの先端の継手の雌螺子の種類が想定外で該洗浄用ノズルの雄螺子と適合しない場合に接合可能とするプラスチックの成型品の雌雄螺子付きアダプタを中間に具備することを特徴とする、請求項１の家庭用２管配管式風呂釜の洗浄器具。
【請求項４】
浴槽内の水面および洗浄用ノズルの配置を上側または下側の配管のほぼ中央の同じ高さとすることにより大水流が空気を巻き込んだ大水流と成り脈動を発生させてさらに効率良く湯垢を洗い流し出す様にしたことを特徴とする、請求項１の家庭用２管配管式風呂釜の洗浄器具。
【考案の詳細な説明】
【技術分野】
【０００１】  本考案は家庭用２管配管式風呂釜の湯垢の洗浄に関するものである。
【背景技術】
【０００２】  特許出願平５−２７０５５３
実用新案出願２００６−３５９１
その他、配管から風呂釜内に洗浄具を挿入する考案も有る。
その他、洗浄剤を挿入する器具についての考案も有る。
【考案の開示】
【考案が解決しようとする課題】
【０００３】  特許出願平５−２７０５５３によると、洗浄ヘッドには噴射水流の絞り機構を具備すると有るが、水路中央に水流コントロール物が存在するので水流が分散して合流することと成りその抵抗で水流を強力なままに直進させ難いことと調節することの面倒さが有りまた洗浄ヘッドの取り付けについて多種類の螺子にどの様に適合させるかについて具体的な説明が無いので実行し難い問題が有った。【０００４】  さらに風呂釜の配管に噴射ノズルを嵌入して湯水を噴射するとありまた浴槽に水が入っていない状態でも洗浄が行えるとしているが、シャワホースからの水量と水圧だけでは風呂釜内の湯垢を充分に流し出せない問題が有った。【０００５】  実用新案出願２００６−３５９１によると、洗浄ノズルと水道の蛇口とを塩化ビニールで結び結合バンドを使用するとしているが取り付けや取り外しをするのに予想外の手の力が必要になったり工具が必要になったり面倒なことと取り付けっ放しにして置くにしても取り外して収納するにしても邪魔に成る問題が有った。【０００６】  また洗浄ノズルの排水口径６ｍ／ｍとして熱湯出口に洗浄ノズルを差し込み強力水流が初期配管に入り給水口から湯泥が出る仕組みになっているとしているが、浴室の水道の蛇口からの水量と水圧だけでは風呂釜内の湯泥を充分に流し出せない問題が有った。【０００７】  また洗浄ノズルの先端を４５度の角度を付けるとしているが加工が難しくなる問題が有った。【０００８】  その他の考案として、風呂釜の配管から洗浄器具を挿入するものも有るが、入口に螺子付きステーなどが取り付けてある配管も有るので挿入できない問題が有った。【０００９】  その他の考案として、洗浄剤を使用するものが有るが、湯垢を軟化させても浴室の蛇口からの水道の水流だけで洗い流すのが不充分なことや洗浄剤の費用がかさむなどの問題が有った。
【課題を解決するための手段】
【００１０】  本考案の洗浄用ノズルは家庭浴室に設備済みのシャワホースの先端の雌螺子付き継手からシャワヘッドを一時的に取り外しこれに替えて取り付けて使用する。該洗浄用ノズルの取り付け部はシャワホース先端の継手の雌螺子に適合する雄螺子で内径が該継手の内径と同じかやや大きくし雄螺子に続く外径が該継手の外径よりやや大きく、該洗浄用ノズルの長手中央部の内径の大きさが該継手の内径と同等以上で外径の大きさがシャワホースの外径と同等以下で、該洗浄用ノズルの先方部は外径が先細りで内径が３〜４ミリメートルの平行管路としてある。【００１１】  本考案の洗浄用ノズルの先方部の形状により水流が拡散せず高圧で高速で直進し風呂釜の上側または下側の管路入口より水平方向に適宜離れて正面から水流を管路に送り込む。【００１２】  本考案の洗浄用ノズルは真っ直ぐな棒状の簡素なプラスチックの成型品とすることにより軽量で加工が容易で低廉でまた取り外して収納するのに家庭浴室に設備済みのシャワヘッドのフックに差し込んで置ける形状としてある。【００１３】  シャワホースの先端の継手の雌螺子の種類が本考案洗浄用ノズルの雄螺子と適合しない場合に接続可能とするプラスチックの成型品の雌雄螺子付きアダプタを中間に介在させる。
【考案の効果】
【００１４】  本考案の洗浄用ノズルはシャワホースの先端の継手の雌螺子に直接ねじ込むかあるいは異なる螺子の場合は多種類の螺子に対応した雌雄螺子付きアダプタを複数用意して置き接続可能としているので取り付け取り外しが簡単である。【００１５】  本考案の洗浄用ノズルはシャワホースからの水道水を高圧で高速で直線的に噴射し浴槽内の水を巻き込みながら大水流にして管路から風呂釜へ送り込むため湯垢を効率良く洗い流し出すことができる。【００１６】  さらに浴槽内の水面の高さおよび本考案の洗浄用ノズルの配置高さを上側または下側の配管のほぼ中央にすることにより大水流が空気を巻き込んだ大水流と成り脈動を発生させて湯垢を浮き上がらせてさらに効率良く洗い流し出すことができる。【００１７】  本考案の洗浄用ノズルは噴射水流が一定なので調整したりする煩わしさが無い。【００１８】  本考案の洗浄用ノズルは真っ直ぐな棒状の簡素なプラスチックの成型品にしたことにより軽量で加工が容易で低廉であるため経済効果が大きく実用性が高い。【００１９】  本考案の洗浄用ノズルは取り外したら浴室に設備済みのシャワノズルのハンガに差し込んで置けるので収納の煩わしさが無い、などの利点が有る。
【考案を実施するための最良の形態】
【００２０】  本考案の洗浄用ノズルおよび雌雄螺子付きアダプタはプラスチックの成型品である。【００２１】  本考案の洗浄用ノズルは家庭浴室に設備済みのシャワホースの先端の継手の雌螺子に直接ねじ込むかあるいは異なる螺子の場合は多種類の螺子に対応した雌雄螺子付きアダプタを複数用意して置き接続可能とする。【００２２】  本考案の洗浄用ノズルは、取り付け部から長手方向の中央部までの内径をシャワホースの先端の継手の内径と同じかやや大きくし先端側の内径を３〜４ミリメートルの平行管路とし、外形が取り付け部の雄螺子に続き外径を該継手の外径よりやや大きくし、中央部の外径の大きさをシャワホースの外径と同等以下とし、先方部の外径を先細りとする。【００２３】  浴槽内の水面の高さおよび本考案の洗浄用ノズルの配置高さを風呂釜の配管の上側または下側のほぼ中央とし、該洗浄用ノズルを管路入口より７〜１２センチメートル水平方向に離して管路の正面に向けて配置し、該洗浄用ノズルから水を噴射するとその水流が浴槽の水を巻き込み大水流と成り管路から風呂釜内に導入される。【００２４】  さらに前記大水流が空気を巻き込みその空気により該大水流に脈動が発生し湯垢を浮き上がらせるため風呂釜内の湯垢をさらに効率良く洗い流し出すことと成る。【００２５】  風呂釜の洗浄作業は浴槽の水を廃棄する際に行うのが経済的で好ましい。【００２６】  頑固な湯垢を落とすために１か月に１度程度洗浄剤を使用しその後で本考案の洗浄器具を使用するとさらに洗浄効果が上がる。
【実施例】
【００２７】  本考案を図面に示す実施例に基づき説明する。図１は本考案器具の使用状態を示す簡略説明図である。風呂釜１２が上側の配管１０および下側の配管１１を通して浴槽９へ給湯するかまたは浴槽内の水１４を下側の配管から風呂釜１２内に導入し加熱し上側の配管１０から浴槽９へ戻しながら温める追い炊きができる方式である。また図４に示す寸法の本考案洗浄用ノズル１を家庭浴室に設置済みのシャワホース４の先端の継手２に取り付け上側の配管１０の正面で管路入口より水平方向に約９センチメートル離れた所に対向させて配置し浴槽内水面１３の高さも上側の配管１０のほぼ中央とし該洗浄用ノズル１から高圧で高速で直進する水流５を噴射すると浴槽の水１４の該洗浄用ノズル１の先端周辺の水流６を巻き込んで大水流と成りさらに該洗浄用ノズルの上方の空気７が該大水流に巻き込まれ該大水流を脈動する大水流に変化させながら上側の配管１０から導入され配管内および風呂釜１２内の湯垢を洗浄した大水流８が下側の配管１１から浴槽９内に放出される。【００２８】  図示しないが該洗浄用ノズル１および浴槽内水面１３を下側の配管１１のほぼ中央の高さとし洗浄した大水流を上側の配管１０から浴槽９内に放出させることも行い風呂釜内で水流の淀みやすいところにも大水流を行き渡らせて洗浄効果をさらに上げている。【００２９】  図２は家庭浴室に設備済みのシャワホース４の先端の継手２の雌螺子が本考案の洗浄用ノズル１の雄螺子に適合しない場合に複数用意した雌雄螺子付きアダプタの中から該洗浄用ノズルの雄螺子Ａと雌螺子ＡＢとが適合しシャワホース４の先端の継手２の雌螺子ＡＡと雄螺子Ｂとが適合するものを選んで接続可能とするための配列を簡略説明図で示している。雄螺子Ａと雌螺子ＡＢはそれぞれ１種類でいつも適合する。【００３０】  該洗浄用ノズル１および該雌雄螺子付きアダプタの材料は重量低減と加工の容易性と原価の低減の目的でプラスチックの成型品とした。【００３１】  図４の該洗浄用ノズルは取り外して収納するのに困らないように浴室に設備済みのシャワヘッドのフックに差し込んで置ける形状とした。
【図面の簡単な説明】
【００３２】
【図１】本考案器具の使用状態を示した簡略説明図である。
【図２】本考案の洗浄用ノズルの螺子がシャワホースの先端の継手の螺子と適合しない場合に中間に雌雄螺子付きアダプタを使用して接続する配列を示した簡略説明図である。
【図３】家庭浴室に設備済みでシャワヘッドを接合している雌螺子継手の簡略説明図である。
【図４】本考案の洗浄用ノズルの実施例の寸法図である。
【図５】種類の異なる螺子に対して適合可能とする雌雄螺子付きアダプタの説明図である。
【符号の説明】
【００３３】  １    洗浄用ノズル
２    シャワホース先端の雌螺子付き継手
３    雌雄螺子付きアダプタ
４    シャワホース
５    高圧で高速で直進する水流
６    洗浄用ノズル先端周辺の水流
７    洗浄用ノズル先端周辺の空気の流れ
８    湯垢を洗浄した大水流
９    浴槽
１０    上側の配管
１１    下側の配管
１２    風呂釜
１３    浴槽内の水面
１４    浴槽内の水
Ａ    洗浄ノズルの雄螺子
ＡＡ    シャワホース先端の継手の雌螺子
ＡＢ    雌雄螺子付きアダプタの雌螺子
Ｂ    雌雄螺子付きアダプタの雄螺子
【図１】
0003149776.tif 000003
【図２】
0003149776.tif 000004
【図３】
0003149776.tif 000005
【図４】
0003149776.tif 000006
【図５】
0003149776.tif 000007
【手続補正書】
【提出日】平成21年1月7日(2009.1.7)
【手続補正１】
【補正対象書類名】実用新案登録請求の範囲
【補正対象項目名】全文
【補正方法】変更
【補正の内容】
【実用新案登録請求の範囲】
【請求項１】
家庭浴室に設備済みのシャワホースの先端の雌螺子付き継手に接続してあるシャワヘッドを洗浄用ノズルに一時的に取り替えて使用する洗浄器具において、洗浄用ノズルの取り付け側はシャワホース先端の継手の雌螺子に適合する雄螺子とし内径が該洗浄用ノズルの中央部までシャワホースの先端の継手の内径と同じかやや大きくし該洗浄用ノズルの先方部は外径が先細りで内径が３〜４ミリメートルの平行管路としたことにより水流を拡散させず直進させるようにし、風呂釜の管路に適宜離れたところから水流を送り込めるようにしたことを特徴とする家庭用２管配管式風呂釜の洗浄器具。
【請求項２】
洗浄用ノズルの外形が雄螺子に続く外径をシャワホースの先端の雌螺子付き継手の外径よりやや大きくし長手方向中央部の外径の大きさをシャワホースの外径と同等以下で先方部の外形を先細りとし該洗浄用ノズルは真っ直ぐな棒状の簡素なプラスチックの成型品とすることにより軽量で加工が容易でまた取り外して家庭浴室に設備済みのシャワヘッドのフックに差し込んで置ける形状にして収納するのを容易にしたことを特徴とする、請求項１の家庭用２管配管式風呂釜の洗浄器具。
【請求項３】
家庭浴室に設備済みのシャワホースの先端の継手の雌螺子の種類が想定外で該洗浄用ノズルの雄螺子と適合しない場合に接合可能とするプラスチックの成型品の雌雄螺子付きアダプタを中間に具備することを特徴とする、請求項１の家庭用２管配管式風呂釜の洗浄器具。